(57)【特許請求の範囲】
【請求項１】
容器体口頸部外面へ嵌合させる装着筒１を垂直筒２下端に有すると共に、該垂直筒の中間部からシリンダ３を、かつ上端から水平筒４を、それぞれ前方突出し、
かつ上記シリンダ３内へ前方付勢させて嵌合させたプランジャ５前端を、水平筒４前部から揺動可能に垂設したトリガー６の上部へ係合させ、
トリガー操作によるプランジャ５の摺動で容器体内液体をシリンダ内へ吸込み、該シリンダ内液体を水平筒前端へ嵌着させたノズルヘッド１２のノズル孔１１から噴出可能に設けたトリガー式液体噴出器において、
上記シリンダが囲む垂直筒２の前壁部分中心から弁棒２１を、かつ該弁棒とシリンダとの間から小径シリンダ２２を、それぞれ前方突出して、シリンダと小径シリンダとの間を加圧室２３に形成し、
プランジャ５は両端開口の筒状として後端に付設した環状シール部５ａを上記加圧室内へ水密に嵌合させると共に、プランジャ孔前部を小内径孔５ｃに形成し、かつ該小内径孔の後部内面にシール突条５ｄを周設しておき、
上記弁棒２１前端部に形成した膨大部２１ａ  を小内径孔５ｃ内へ摺動自在に嵌合させて、該膨大部とシール突条５ｄとで、プランジャ５が前限に位置したとき閉塞される外気吸入弁２４を形成し、
上記垂直筒２を内外二重筒とすると共に、小径シリンダが囲む垂直筒外筒２ｂの前壁部分に小透孔２５を穿設し、該小透孔と装着筒１内とを上記垂直筒の内外筒２ａ，２ｂ間に縦設した溝２６で連通させた
ことを特徴とするトリガー式液体噴出器。
【請求項２】
容器体口頸部外面へ嵌合させる装着筒１を垂直筒２下端に有すると共に、該垂直筒の中間部からシリンダ３を、かつ上端から水平筒４を、それぞれ前方突出し、
かつ上記シリンダ３内へ前方付勢させて嵌合させたプランジャ５前端を、水平筒４前部から揺動可能に垂設したトリガー６の上部へ係合させ、
トリガー操作によるプランジャ５の摺動で容器体内液体をシリンダ内へ吸込み、該シリンダ内液体を水平筒前端へ嵌着させたノズルヘッド１２のノズル孔１１から噴出可能に設けたトリガー式液体噴出器において、
上記シリンダが囲む垂直筒２の前壁部分中心に第１透孔３４を穿設すると共に、該第１透孔周辺部から、シリンダ３との間に加圧室２３を形成する小径シリンダ２２を前方突出し、
プランジャ５は両端開口の筒状として後端に付設した環状シール部５ａを上記加圧室内へ水密に嵌合させると共に、プランジャ孔は前部を小内径孔５ｃに、後部を大内径孔５ｂに、それぞれ形成し、かつ小内径孔の後部内面にはシール突条５ｄを周設しておき、
又上記第１透孔周縁部へ係合させて、小径シリンダ２２の後端内へ嵌合させた基板３１中心から上記プランジャ孔の小内径孔５ｃの後部内へ弁棒２１を突出する弁棒部材３２を設けて、弁棒前端部に形成した膨大部２１ａ  とシール突条５ｄとで、プランジャ５が前限に位置したとき閉塞される外気吸入弁２４を形成すると共に、第１透孔３４と小径シリンダ２２内とを連通する第２透孔３３を基板３１に穿設し、
上記弁棒２１外面へ遊嵌させて、基板３１外周部と大内径孔５ｂ前端面との間にプランジャ５を前方付勢するコイルスプリング２７を介装させ、
更に垂直筒２を内外二重筒として、第１透孔３４と装着筒１内とを垂直筒の内外筒２ａ，２ｂ間に縦設した溝２６で連通させた
ことを特徴とするトリガー式液体噴出器。
【請求項３】
容器体口頸部外面へ嵌合させる装着筒１を垂直筒２下端に有すると共に、該垂直筒の中間部からシリンダ３を、かつ上端から水平筒４を、それぞれ前方突出し、
かつ上記シリンダ３内へ前方付勢させて嵌合させたプランジャ５前端を、水平筒４前部から揺動可能に垂設したトリガー６の上部へ係合させ、
トリガー操作によるプランジャ５の摺動で容器体内液体をシリンダ内へ吸込み、該シリンダ内液体を水平筒前端へ嵌着させたノズルヘッド１２のノズル孔１１から噴出可能に設けたトリガー式液体噴出器において、
上記シリンダが囲む垂直筒２の前壁部分中心に第１透孔３４を穿設すると共に、該第１透孔周辺部から、シリンダ３との間に加圧室２３を形成する小径シリンダ２２を前方突出し、
プランジャ５は両端開口の筒状として後端に付設した環状シール部５ａを上記加圧室内へ水密に嵌合させると共に、プランジャ孔は前部を小内径孔５ｃ  に、後部を大内径孔５ｂに、それぞれ形成し、かつ小内径孔の後部内面にはシール突条５ｄを周設しておき、
又上記透孔周縁部へ係合させて小径シール２２の後端内へ嵌合させた基板３１中心から、上記プランジャ孔の小内径孔５ｃの後部内へ弁棒２１を突出する弁棒部材３２を設けて、弁棒前部とシール突条５ｄとでプランジヤ５が前限に位置したとき閉塞される外気吸入弁２４を形成すると共に、弁棒前部を除く弁棒外面部分全体に長溝４１を、かつ該長溝と第１透孔３４とを連通する第２透孔３３を基板３１にそれぞれ穿設し、
上記弁棒２１外面へ遊嵌させて、基板３１外周部と大内径孔５ｂ前端面との間にプランジャ５を前方付勢するコイルスプリング２７を介装させ、
更に垂直筒２を内外二重筒として、第１透孔３４と装着筒１内とを垂直筒の内外筒２ａ，２ｂ間に縦設した溝２６で連通させた
ことを特徴とするトリガー式液体噴出器。
【発明の詳細な説明】
【０００１】
【発明の属する技術分野】
本発明はトリガー式の液体噴出器に関する。
【０００２】
【従来の技術】
実開平６‐３４７５９  号が示すように、容器体口頸部外面へ嵌合させる装着筒を垂直筒下端に有すると共に、該垂直筒の中間部からシリンダを、かつ上端から水平筒を、それぞれ前方突出し、
かつ上記シリンダ内へ前方付勢させて嵌合させたプランジャ前端を、水平筒前部から揺動可能に垂設したトリガーの上部へ係合させ、
トリガー操作によるプランジャの摺動で容器体内液体をシリンダ内へ吸込み、該シリンダ内液体を水平筒前端へ嵌着させたノズルヘッドのノズル孔から噴出可能に設けたトリガー式液体噴出器が広く知られている。
【０００３】
【発明が解決しようとする課題】
上記液体噴出器は、垂直筒下部にシリンダの後部底壁部分と共用の頂壁を有する大径筒部を付設し、該大径筒部から容器体口頸部嵌合用の装着筒を垂下しており、液体噴出による容器体内液体減少による容器体内負圧防止は、トリガー操作でプランジャがシリンダ後方へ押込まれたとき、シリンダ後方底壁部分に穿設されている外気吸入孔から容器体内に外気が流入して防止できるよう設けられており、プランジャが前限にある状態ではプランジャが外気流入孔を閉塞するよう設けている。
【０００４】
上記外気流入孔は、トリガーを大きく垂直筒側へ引寄せることで、プランジャがほぼ後限近くまで押込まれたときに開孔するよう設けられているから、例えばトリガーおよびプランジャを僅か宛多数回後退させて小量噴出を継続すると、上記外気吸入孔は全く開口されないこととなり、すると容器体内が負圧化することで容器体が凹み変形し、最終的には液体が噴出し難くなる。
【０００５】
消費者が行う実際上の使用では、上記のような使用が意外に多く、すると液体噴出器の故障と間違われることとなる。
【０００６】
本発明は、上記のような小量液体噴出の場合も、外気吸入路が確実に開閉するよう設けたものである。
【０００７】
【課題を解決するための手段】
第１の手段として容器体口頸部外面へ嵌合させる装着筒１を垂直筒２下端に有すると共に、該垂直筒の中間部からシリンダ３を、かつ上端から水平筒４を、それぞれ前方突出し、
かつ上記シリンダ３内へ前方付勢させて嵌合させたプランジャ５前端を、水平筒４前部から揺動可能に垂設したトリガー６の上部へ係合させ、
トリガー操作によるプランジャ５の摺動で容器体内液体をシリンダ内へ吸込み、該シリンダ内液体を水平筒前端へ嵌着させたノズルヘッド１２のノズル孔１１から噴出可能に設けたトリガー式液体噴出器において、
上記シリンダが囲む垂直筒２の前壁部分中心から弁棒２１を、かつ該弁棒とシリンダとの間から小径シリンダ２２を、それぞれ前方突出して、シリンダと小径シリンダとの間を加圧室２３に形成し、
プランジャ５は両端開口の筒状として後端に付設した環状シール部５ａを上記加圧室内へ水密に嵌合させると共に、プランジャ孔前部を小内径孔５ｃに形成し、かつ該小内径孔の後部内面にシール突条５ｄを周設しておき、
上記弁棒２１前端部に形成した膨大部２１ａ  を小内径孔５ｃ内へ摺動自在に嵌合させて、該膨大部とシール突条５ｄとで、プランジャ５が前限に位置したとき閉塞される外気吸入弁２４を形成し、
上記垂直筒２を内外二重筒とすると共に、小径シリンダが囲む垂直筒外筒２ｂの前壁部分に小透孔２５を穿設し、該小透孔と装着筒１内とを上記垂直筒の内外筒２ａ，２ｂ間に縦設した溝２６で連通させた。
【０００８】
第２の手段として容器体口頸部外面へ嵌合させる装着筒１を垂直筒２下端に有すると共に、該垂直筒の中間部からシリンダ３を、かつ上端から水平筒４を、それぞれ前方突出し、
かつ上記シリンダ３内へ前方付勢させて嵌合させたプランジャ５前端を、水平筒４前部から揺動可能に垂設したトリガー６の上部へ係合させ、
トリガー操作によるプランジャ５の摺動で容器体内液体をシリンダ内へ吸込み、該シリンダ内液体を水平筒前端へ嵌着させたノズルヘッド１２のノズル孔１１から噴出可能に設けたトリガー式液体噴出器において、
上記シリンダが囲む垂直筒２の前壁部分中心に第１透孔３４を穿設すると共に、該第１透孔周辺部から、シリンダ３との間に加圧室２３を形成する小径シリンダ２２を前方突出し、
プランジャ５は両端開口の筒状として後端に付設した環状シール部５ａを上記加圧室内へ水密に嵌合させると共に、プランジャ孔は前部を小内径孔５ｃに、後部を大内径孔５ｂに、それぞれ形成し、かつ小内径孔の後部内面にはシール突条５ｄを周設しておき、
又上記第１透孔周縁部へ係合させて、小径シリンダ２２の後端内へ嵌合させた基板３１中心から上記プランジャ孔の小内径孔５ｃの後部内へ弁棒２１を突出する弁棒部材３２を設けて、弁棒前端部に形成した膨大部２１ａ  とシール突条５ｄとで、プランジャ５が前限に位置したとき閉塞される外気吸入弁２４を形成すると共に、第１透孔３４と小径シリンダ２２内とを連通する第２透孔３３を基板３１に穿設し、
上記弁棒２１外面へ遊嵌させて、基板３１外周部と大内径孔５ｂ前端面との間にプランジャ５を前方付勢するコイルスプリング２７を介装させ、
更に垂直筒２を内外二重筒として、第１透孔３４と装着筒１内とを垂直筒の内外筒２ａ，２ｂ間に縦設した溝２６で連通させた。
【０００９】
第３の手段として容器体口頸部外面へ嵌合させる装着筒１を垂直筒２下端に有すると共に、該垂直筒の中間部からシリンダ３を、かつ上端から水平筒４を、それぞれ前方突出し、
かつ上記シリンダ３内へ前方付勢させて嵌合させたプランジャ５前端を、水平筒４前部から揺動可能に垂設したトリガー６の上部へ係合させ、
トリガー操作によるプランジャ５の摺動で容器体内液体をシリンダ内へ吸込み、該シリンダ内液体を水平筒前端へ嵌着させたノズルヘッド１２のノズル孔１１から噴出可能に設けたトリガー式液体噴出器において、
上記シリンダが囲む垂直筒２の前壁部分中心に第１透孔３４を穿設すると共に、該第１透孔周辺部から、シリンダ３との間に加圧室２３を形成する小径シリンダ２２を前方突出し、
プランジャ５は両端開口の筒状として後端に付設した環状シール部５ａを上記加圧室内へ水密に嵌合させると共に、プランジャ孔は前部を小内径孔５ｃ  に、後部を大内径孔５ｂに、それぞれ形成し、かつ小内径孔の後部内面にはシール突条５ｄを周設しておき、
又上記透孔周縁部へ係合させて小径シール２２の後端内へ嵌合させた基板３１中心から、上記プランジャ孔の小内径孔５ｃの後部内へ弁棒２１を突出する弁棒部材３２を設けて、弁棒前部とシール突条５ｄとでプランジヤ５が前限に位置したとき閉塞される外気吸入弁２４を形成すると共に、弁棒前部を除く弁棒外面部分全体に長溝４１を、かつ該長溝と第１透孔３４とを連通する第２透孔３３を基板３１にそれぞれ穿設し、
上記弁棒２１外面へ遊嵌させて、基板３１外周部と大内径孔５ｂ前端面との間にプランジャ５を前方付勢するコイルスプリング２７を介装させ、
更に垂直筒２を内外二重筒として、第１透孔３４と装着筒１内とを垂直筒の内外筒２ａ，２ｂ間に縦設した溝２６で連通させた。
【００１０】
【発明の実施の形態】
まず従来公知の構造について簡単に説明すると、１は容器体口頸部外面へ嵌合させる装着筒で、該装着筒は垂直筒２下端へ回動可能に連結されており、その垂直筒の中間部からはシリンダ３を、かつ上端から水平筒４を、それぞれ前方突設している。
【００１１】
上記シリンダ３内にはプランジャ５が前方付勢させて嵌合させてあり、該プランジャ前端は、水平筒４の前部から前後方向へ揺動可能に垂下するトリガー６の上方後部に係合させている。
【００１２】
上記垂直筒２は内外二重筒で形成されており、その内筒２ａの下部内には吸込み弁７が、又上方には吐出弁８が、それぞれ設けてある。
【００１３】
水平筒４は、垂直筒２の外筒２ｂ上部から前方突出した射出筒９と該射出筒前部へ嵌合させたノズルヘッド嵌合筒１０とからなり、該ノズルヘッド嵌合筒前端には、ノズル孔１１付きのノズルヘッド１２が嵌合させてある。
【００１４】
図１、図２、図３とが示す本発明第１実施形態にあっては、シリンダ３が囲む垂直筒２前壁部分の中心から弁棒２１を、かつ該弁棒とシリンダとの間から小径シリンダ２２を、それぞれ前方突出してシリンダ３と小径シリンダ２２との間にシリンダ加圧室２３を形成している。弁棒前端部は膨大部２１ａ  とする。
【００１５】
プランジヤ５は前後両端面開口の筒状として、プランジヤ後端を環状シール部５ａとし、該環状シール部を加圧室２３内へ、環状シール部内面を小径シリンダ２２外面へ、又環状シール部５ａ外面をシリンダ３内面へ、それぞれ水密に接して嵌合させている。
【００１６】
又プランジヤ５は後半を大内径孔５ｂに、かつ前半を小内径孔５ｃに、それぞれ形成し、その小内径孔の後部内面にはシール突条５ｄを周設している。
【００１７】
既述弁棒２１は上記プランジヤの小内径孔５ｃ内へ摺動可能に嵌合させる。膨大部２１ａ  はシール突条５ｄとで外気吸入弁２４を形成する。即ち図１が示すように、プランジヤ５およびトリガー６が前限に位置する状態では膨大部２１ａ  後面がシール突条５ｄに水密に接して外気吸入弁２４は閉じ、又図２のようにトリガー６引寄せによりプランジヤ５が後退すると膨大部２１ａ  は相対的に前進してシール突条５ｄから離れ、該状態にあっては膨大部２１ａ  外面と小内径孔５ｃ内面との間に、又シール突条５ｄと弁棒２１外面との間に、それぞれ隙間が形成される。
【００１８】
小径シリンダ２２が囲む、垂直筒２の外筒２ｂ前壁部分には小透孔２５が穿設してあって、又該小透孔２５と装着筒１内とを、垂直筒の内外筒２ａ，２ｂ間に縦設した溝２６で連通させる。図示の場合は溝下端に透孔があり、該透孔が装着筒上部内に開孔している。
【００１９】
図示例では、プランジヤ５を前方付勢するコイルスプリング２７を小径シリンダ２２内へ遊挿させ、小径シリンダ２２が囲む垂直筒前壁部分とプランジヤ５との大内径孔５ｂ前端面との間に装着させているが、該スプリングは加圧室２３内に設けてもよい。
【００２０】
図１の状態からトリガー６を引くと、プランジヤ５が後退することで加圧室２３内液体が吐出弁８、および水平筒４内を通ってノズルヘッドのノズル孔１１から噴出し、又プランジヤ５が後退すると同時に弁棒２１の膨大部２１ａ  からシール突条５ｄが離れて外気吸入弁２４が開き、よってプランジヤの小内径孔５ｃ、大内径孔５ｂ、小径シリンダ２２内外気吸入孔２４、溝２６を介して外気と装着筒１内、従って容器体内とが連通し、よって容器体内が負圧状態であれば外気が直ちに流入し、その負圧状態を解消する。
【００２１】
トリガー６を離すと、プランジヤ５がシリンダ３内を前進し、加圧室２３内が負圧化することで垂直筒２から垂下された吸上げパイプ２ｃを介して容器体内液体が加圧室２３内へ吸込まれる。
【００２２】
図４と図５とは第２実施形態を示す。
該実施形態は、弁棒２１を別部材で形成したもので、小径シリンダ２２の後端内へ嵌合可能に形成した基板３１中心から弁棒２１を突出した弁棒部材３２を設け、該部材を図４のように、基板３１を小径シリンダ２２後端内へ嵌合させ、かつ弁棒前部をプランジヤの小内径孔５ｃ内へ挿入させ、又基板３１外周とプランジヤの大内径孔５ｂ前端との間へコイルスプリング２７を装着させる。基板３１には、第２透孔３３を穿設し、小径シリンダが囲む垂直筒２前壁部分中心に穿設した第１透孔３４と連通させる。その他構造は第１実施形態の場合と同様に設ければよい。
【００２３】
即ち、弁棒前端の膨大部２１ａ  とプランジヤの小内径孔後部のシール突条５ｄとが外気吸入弁２４を形成し、トリガー６引寄せでプランジヤ５が後退して外気吸入弁２４が開くと同時に外気と容器体内とが連通するように設ける。
【００２４】
図６と図７とが示す実施形態は、第２実施形態の弁棒部材３２を多少変更したものである。即ち弁棒前端の膨大部形成に代えて、弁棒前部を除く弁棒外面部分全体に長溝４１を穿設し、かつ該長溝と既述第１透孔３４とを連通する第２透孔３３とを基板３１に穿設している。外気吸入弁２４はプランジヤ５のシール突条５ｄと、長溝４１を有しない弁棒２１前部とで形成し、図６のようにシール突条５ｄが弁棒２１前端部外面へ嵌合する状態でその弁が閉じ、図７のように、長溝４１穿設部分がシール突条５ｄ内方まで移動したとき、その弁は開弁する。その他部分の構造は第２実施形態の場合と同様である。
【００２５】
第２、第３実施形態の場合も、第１実施形態の場合と同様に使用することが出来、又その使用で外気吸入弁２４が開閉する。
【００２６】
【発明の効果】
本発明は既述構成とするものであり、請求項１記載発明にあっては、プランジヤ５を前後両端面開口の筒状として、その後端に付設した環状シール部５ａを、シリンダ３と小径シリンダ２２とで形成した、加圧室２３内へ水密に嵌合させると共に、プランジヤ５前部が形成する小内径孔５ｃの後部内面にシール突条５ｄを周設し、シリンダ３が囲む垂直筒２の前壁部分中心から前方突設した弁棒２１前端部に設けた膨大部２１ａ  を小内径孔５ｃ内へ摺動自在に嵌合させて、その膨大部とシール突条５ｄとで外気吸入弁２４を形成し、又小径シリンダ２２が囲む垂直筒２外筒の前壁部分に小透孔２５を穿設し、該小透孔と装着筒１内とを垂直筒の内外筒２ａ，２ｂ間に縦設した溝２６で連通させたから、トリガー操作によりプランジヤ５が僅かに後方移動するだけで上記外気吸入弁２４は開弁して、プランジヤ５、小径シリンダ２２、小透孔２５、溝２６が形成する外気吸入路が形成されることとなり、よって既述従来例のような外気吸入孔が開かれないままで液体噴出することを防止することが出来る。
【００２７】
請求項２および３記載の発明は、請求項１記載の発明の場合と同様に、プランジヤ５が僅かに後退するだけで外気吸入弁を開放できる効果のほか、弁棒２１を有する弁棒部材３２を別部材に形成して、該弁棒部材の基板３１を小径シリンダ２２の後端部内へ嵌合させて、弁棒２１を前方突出させたから、各部材構造を簡易とすることが出来、又その弁棒２１外面へ遊嵌させて、基板３１外周部とプランジヤの大内径孔５ｂ前端面との間に、プランジヤ前方付勢用のコイルスプリング２７を介装させたから、上記弁棒部材３２が小径シリンダ２２内から抜出すこともない。
【００２８】
更に請求項３記載の発明は、弁棒２１の前部を除く弁棒外面部分全体に長溝４１を穿設し、弁棒前部とプランジヤ小内径孔５ｃ内面のシール突条５ｄとで外気吸入弁２４を形成したから、弁棒２１外径とシール突条５ｄ内径とはほゞ同径ないし弁棒外径を僅かに大径としてシール突条５ｄが弁棒２１の前部外面に接したときに外気吸入弁２４が閉じ、シール突条５ｄが長溝４１付きの弁棒部分外面に接することで開弁するよう設ければよいから、その外気吸入弁の構成を簡易とすることが出来る。
【図面の簡単な説明】
【図１】本発明液体噴出器の断面図である。
【図２】図１噴出器を、トリガー引寄せ状態で示す断面図である。
【図３】第１噴出器の要部拡大断面図である。
【図４】第２実施形態で示す、本発明噴出器の断面図である。
【図５】図３噴出器をトリガー引寄せ状態で示す断面図である。
【図６】第３実施形態で示す、本発明噴出器の断面図である。
【図７】図５噴出器を、トリガー引寄せ状態で示す断面図である。
【符号の説明】
５ａ…環状シール部                        ５ｄ…シール突条
２１…弁棒                                ２１ａ  …膨大部
２２…小径シリンダ                        ２４…外気吸入弁
３２…弁棒部材                            ４１…長溝
【図１】
0003593231.tif 000002
【図２】
0003593231.tif 000003
【図３】
0003593231.tif 000004
【図４】
0003593231.tif 000005
【図５】
0003593231.tif 000006
【図６】
0003593231.tif 000007
【図７】
0003593231.tif 000008